(57)【要約】【解決手段】多数の（例えば物理およびトランスポート）チャネルを介して受信したシンボルを記憶するためのバッファ構造。各チャネルは、受信したシンボルが処理される（例えばインターリーブされる）特定の時間間隔（例えば無線フレーム期間または送信時間間隔（ＴＴＩ））に相関している。バッファ構造は、バッファとアドレス発生器を含む。バッファは多数のセクションに分割される。１つのセクションは処理される各チャネルに割当てられる。各セクションは循環バッファとして動作可能である。アドレス発生器は、シンボルを割当てられたセクションに書き込むためのアドレスを供給する。バッファ構造がトランスポートチャネルに使用されるなら、相関するＴＴＩに基づいて（例えばＴＴＩの降順に）セクションをトランスポートチャネルに割当てることが出来る。各符号化された複合トランスポートチャネル（ＣＣＴｒＣＨ）に対して、ＣＣＴｒＣＨ内のトランスポートチャネルは各イニシャルロケーション（例えばバッファの一番上または一番下）から開始して定義されるセクションに割当てることができ、バッファの各方向（例えば下方向または上方向）に沿って続行する。【特許請求の範囲】
【請求項１】
複数のチャネルを介して受信したシンボルを記憶するためのバッファ構造であって、各チャネルは、受信したシンボルが次に処理される特定の時間間隔に相関する、前記バッファ構造は下記を具備する：
複数のセクションに分割されたバッファ、１つのセクションが各チャネルに割当てられ、前記相関する時間間隔に対して受信することになっているシンボルを記憶するために必要な大きさにされる；および
前記バッファに接続され、シンボルを前記割当てられたセクションに書き込むためのアドレスを供給するアドレス発生器。
【請求項２】
各セクションは循環バッファとして動作する請求項１のバッファ構造。
【請求項３】
各チャネルはＷ−ＣＤＭＡ規格により定義される物理チャネルに相当する請求項１のバッファ構造。
【請求項４】
複数のチャネルを介して受信したシンボルを記憶するためのバッファ構造であって、各チャネルは、受信したシンボルが次に処理される特定の時間間隔に相関する、前記バッファ構造は下記から構成される：
各チャネルに対して１つのセクションとなるように、複数のセクションに分割されたバッファ、前記相関する時間間隔に基づいて前記複数のセクションが前記複数のチャネルに割当てられる；および
前記バッファに接続され、シンボルを前記割当てられたセクションに書き込むためのアドレスを供給するアドレス発生器。
【請求項５】
各チャネルはＷ−ＣＤＭＡ規格により定義されるトランスポートチャネルに相当する、請求項４のバッファ構造。
【請求項６】
各チャネルに相関する時間間隔はＷ−ＣＤＭＡ規格により定義される送信時間間隔（ＴＴＩ）に相当する、請求項５のバッファ構造。
【請求項７】
各チャネルに相関する時間間隔は、１０ｍｓｅｃ、２０ｍｓｅｃ、４０ｍｓｅｃおよび８０ｍｓｅｃから構成されるグループから選択される、請求項４のバッファ構造。
【請求項８】
前記複数のセクションは相関する時間間隔の降順に前記複数のチャネルに割当てられる、請求項４のバッファ構造。
【請求項９】
前記バッファは、各最も短い時間間隔の開始以前に分割され割当てられる、請求項４のバッファ構造。
【請求項１０】
前記バッファはイニシャルロケーションから開始して分割され前記バッファの第１の方向に沿って続行する、請求項４のバッファ構造。
【請求項１１】
各セクションはイニシャルロケーションまたは以前のセクションの終わりから開始して定義される、請求項１０のバッファ構造。
【請求項１２】
セクションが割当てられるチャネルに相関する時間間隔内で受信することになっているすべてのシンボルを記憶するようなサイズを有する、請求項４のバッファ構造。
【請求項１３】
前記複数のチャネルは１つ以上のチャネルの第１のグループと、１つ以上のチャネルの第２のグループを含み、前記第１のグループの１つ以上のチャネルに割当てられた１つ以上のセクションは第１のイニシャルロケーションから開始して定義され、前記バッファの第１の方向に沿って続行し、前記第２のグループの１つ以上のチャネルに割り当てられた１つ以上のセクションは第２のイニシャルロケーションから開始して定義され前記バッファの第２の方向に沿って続行する、請求項４のバッファ構造。
【請求項１４】
前記第１および第２のイニシャルロケーションは共通のロケーションとして選択され、前記第１および第２の方向は、正反対の方向である、請求項１３のバッファ構造。
【請求項１５】
前記アドレス発生器は各割当てられたセクションに対する書き込みポインタを維持するように動作する、請求項４のバッファ構造。
【請求項１６】
前記アドレス発生器は各割当てられたセクションに対する開始ロケーションを維持するようにさらに動作する、請求項１５のバッファ構造。
【請求項１７】
複数のトランスポートチャネルを介して受信したシンボルを記憶するためのバッファ構造、各トランスポートチャネルは特定の送信時間間隔（ＴＴＩ）に相関する、前記バッファ構造は下記を具備する：
各トランスポートチャネルに対して１つのセクションが対応するように、複数のセクションに分割されたバッファ、前記複数のセクションはイニシャルロケーションから開始して定義され、前記バッファの第１の方向に沿って続行し、前記複数のセクションは、前記相関するＴＴＩの降順に前記複数のトランスポートチャネルに割当てられる；および
前記バッファに接続され、前記割当てられたセクションにシンボルを書き込むためのアドレスを供給するように動作するアドレス発生器。
【請求項１８】
通信システムにおいて、複数のチャネルを介して受信したシンボルを処理するように動作する受信器装置、各チャネルは、前記受信したシンボルが次に処理される特定の時間間隔に相関する、前記受信器装置は下記を具備する：
前記複数のチャネルに対して受信したサンプルを処理し、シンボルを供給するように動作するチャネルプロセッサ；
前記チャネルプロセッサに接続され、前記チャネルプロセッサからのシンボルを記憶するように動作するバッファ、前記バッファは、各チャネルに対して１つのセクションが対応するように複数のセクションに分割され、前記複数のセクションは、前記相関する時間間隔に基づいて前記複数のチャネルに割当てられる；および
前記バッファに接続され、前記バッファの割当てられたセクションからの特定のトラヒックに対してシンボルを検索し、前記検索したシンボルを処理するように動作するデータプロセッサ。
【請求項１９】
各チャネルはＷ−ＣＤＭＡ規格により定義されるトランスポートチャネルに相当し、各チャネルに相関する時間間隔はＷ−ＣＤＭＡ規格により定義される送信時間間隔（ＴＴＩ）に相当する、請求項１８の受信器装置。
【請求項２０】
前記バッファはイニシャルロケーションから開始して分割され前記バッファの第１の方向に沿って続行する請求項１８の受信器装置。
【請求項２１】
前記複数のチャネルは１つ以上のチャネルの第１のグループと、１つ以上のチャネルの第２のグループを含み、前記第１のグループの１つ以上のチャネルに割当てられた１つ以上のセクションは第１のイニシャルロケーションから開始して定義され、前記バッファの第１の方向に沿って続行し、前記第２のグループの１つ以上のチャネルに割り当てられた１つ以上のセクションは第２のイニシャルロケーションから開始して定義され、前記バッファの第２の方向に沿って続行する、請求項１８の受信器装置。
【請求項２２】
前記チャネルプロセッサからのシンボルはバッファの置換されたロケーションに記憶され第２デインターリービングを達成する、請求項１８の受信器装置。
【請求項２３】
特定のトラヒックに対するシンボルは割当てられたセクションの置換されたロケーションから検索され、第１デインターリービングを達成する、請求項１８の受信器装置。
【請求項２４】
前記バッファに接続され、シンボルを前記複数のセクションに書き込むためのアドレスを供給するアドレス発生器をさらに具備する、請求項１８の受信器装置。
【請求項２５】
前記チャネルプロセッサおよびデータプロセッサに接続されたコントローラをさらに具備し、前記コントローラは前記複数のセクションにシンボルを書き込む指示をし、前記複数のセクションからシンボルを読み出す指示をするように動作する、請求項１８の受信器装置。
【請求項２６】
前記データプロセッサと接続され、前記データプロセッサにより処理されたシンボルを受信し復号するように動作するデコーダをさらに具備する、請求項１８の受信器装置。
【請求項２７】
請求項１８の前記チャネルプロセッサ、バッファ、およびデータプロセッサを具備する受信器装置であって、Ｗ−ＣＤＭＡ規格に従ってダウンリンクデータ送信を処理するように動作する受信器装置。
【請求項２８】
請求項１８の前記チャネルプロセッサ、バッファ、およびデータプロセッサを具備する受信器装置であって、Ｗ−ＣＤＭＡ規格に従ってアップリンクデータ送信を処理するように動作する受信器装置。
【請求項２９】
複数のチャネルを介して受信したシンボルを記憶する方法、各チャネルは、前記受信したシンボルが次に処理される特定の時間間隔に相関する、前記方法は下記工程を具備する：
受信され処理される複数のチャネルを識別する；
各チャネルに相関して時間間隔を決定する；
バッファの複数のセクションを前記相関する時間間隔に従って前記複数のチャネルに割当てる；および
前記複数のチャネルから受信したシンボルを前記複数の割当てられたセクションに記憶する。
【請求項３０】
各チャネルはＷ−ＣＤＭＡ規格により定義されたトランスポートチャネルに相当し、各チャネルに相関する前記時間間隔は前記Ｗ−ＣＤＭＡ規格により定義される送信時間間隔（ＴＴＩ）に相当する、請求項２９の方法。
【請求項３１】
前記割当ては下記工程を含む、請求項２９の方法：
前記相関する時間間隔に従って前記複数のチャネルを分類する；
最も長い時間間隔に相関し、前記バッファのセクションがまだ割当てられていないチャネルを選択する；
次に利用可能なバッファのセクションを選択されたチャネルに割当てる、次に利用可能なセクションは開始ロケーションまたは先行して割当てられたセクションの終わりから定義される；および
前記複数のチャネルに対して前記選択を割当てを反復する。
【請求項３２】
前記割当ては下記工程を含む、請求項３１の方法：
前記選択されたチャネルに関して受信したトラヒックのサイズを決定する；
前記選択されたチャネルに割当てられた次に利用可能なセクションは前記決定されたトラヒックサイズに基づいて定義される。
【請求項３３】
前記複数のセクションはイニシャルロケーションから開始して定義され前記バッファの第１の方向に沿って続行する、請求項２９の方法。
【請求項３４】
さらに下記工程を具備する請求項２９の方法：
前記複数のチャネルを１つ以上のチャネルの第１のグループと１つ以上のチャネルの第２のグループにグループ分けする、
前記割当ては、
前記相関する時間間隔に従って、前記バッファの第１の方向に沿って定義された１つ以上のセクションを前記第１のグループの１つ以上のチャネルに割当てる第１割当て工程と、および
前記相関する時間間隔に従って、前記バッファの第２の方向に沿って定義された１つ以上のセクションを前記第２のグループの１つ以上のチャネルに割当てる第２割当て工程を含む。
【請求項３５】
前記第１および第２のグループの１つ以上のチャネルは、Ｗ−ＣＤＭＡ規格により定義される、それぞれ第１および第２の復号トランスポートチャネル（ＣＣＴｒＣＨ）に相関する、請求項３４の方法。
【発明の詳細な説明】
【０００１】
【発明の属する技術分野】
この発明はデータ通信に関する。特に、この発明はＣＤＭＡシステムの複数の物理チャネルおよびトランスポートチャネルに対して受信したシンボルを記憶するための新規で改良されたデータバッファ構造に関する。
【０００２】
【関連出願の記載】
近年の通信システムは種々のアプリケーションをサポートする必要がある。そのような通信システムの１つは、地上波リンクを介してユーザ間で音声およびデータ通信をサポートする符号分割多重アクセス（ＣＤＭＡ）システムである。多重アクセス通信システムにおけるＣＤＭＡ技術の使用は、この発明の譲受人に譲渡され、参照することによりここに組み込まれる米国特許第４，９０１，３０７号（発明の名称：「衛星または地上波リピータを用いたスペクトル拡散多重アクセス通信システム」）および米国特許第５，１０３，４５９号（発明の名称：「ＣＤＭＡ携帯電話システムにおいて波形を発生するためのシステムおよび方法」）に開示されている。
【０００３】
ＣＤＭＡシステムは一般に１つ以上の規格に準拠するように設計されている。そのような第一世代の規格の１つが「デュアルモード広域スペクトル拡散セルラシステムのためのＴＩＡ／ＥＩＡ／ＩＳ−９５端末−基地局互換規格」である。以下ＩＳ−９５規格と呼び参照することによりここに組み込まれる。ＩＳ−９５ＣＤＭＡシステムは音声データおよび（効率的ではないが）パケットデータを送信することができる。パケットデータをより効率的に送信することのできるより新しい世代の規格は「第三世代パートナーシッププロジェクト」（３ＧＰＰ）という名前の協会により提供され、すでに公に入手可能な文書番号３Ｇ　ＴＳ　２５．２１１、３Ｇ　ＴＳ　２５．２１２、３Ｇ　ＴＳ　２５．２１３、３Ｇ　ＴＳ２５．２１４、および３Ｇ　ＴＲ　２５，９２６を含む一連の文書に具現化されている。３ＧＰＰ規格は以下Ｗ−ＣＤＭＡ規格と呼び、参照することによりここに組み込まれる。
【０００４】
Ｗ−ＣＤＭＡ規格は多数のユーザをサポートすることができ、パケットデータの効率的な送信のために設計されたチャネル構造を定義する。Ｗ−ＣＤＭＡ規格に従って、送信されるデータはより高いシグナリング層において１つ以上の「トランスポート」チャネルとして処理される。トランスポートチャネルは異なる種類のサービス（例えば、音声、ビデオ、データ等）の同時送信をサポートする。次に、トランスポートチャネルは通信（例えば電話）のためにユーザ端末に割当てられた１つ以上の「物理」チャネルにマッピングする。
【０００５】
Ｗ−ＣＤＭＡ規格はトランスポートチャネルの処理において多大な柔軟性を可能にさせる。例えば特定のトランスポートチャネルのためのデータは畳み込み符号、ターボ符号を用いて符号化することができ、あるいは全く符号化されないようにすることもできる。また、データは４つの異なる時間間隔（すなわち、１０ｍｓｅｃ、２０ｍｓｅｃ、４０ｍｓｅｃ、または８０ｍｓｅｃ）の１つに対してインターリーブすることができ、有害なパス効果（例えばフェージング、マルチパス等）に対して一時的なダイバーシティを提供する。符号方式とインタリービング間隔の異なる組合せを選択して、異なる種類のサービスに対して改良された性能を提供することができる。例えば、ターボ符号と長いインタリービング間隔を用いてパケットデータを処理することにより、機能強化された効率と性能を得るようにしてもよい。これはより長い処理遅延を生じるかもしれない。それにひきかえ、音声およびビデオデータは、長い処理遅延時間が許されないので、畳み込み符号および短いインターリービング間隔を用いて処理するようにしてもよい。
【０００６】
Ｗ−ＣＤＭＡシステムのユーザ端末は複数の物理チャネルを介して同時に複数の送信（すなわち複数のトランスポートチャンネル）を受信するようにしてもよい。経費検討のために、処理素子および記憶素子の基本的なセットを用いて複数の物理チャネルおよびトランスポートチャネルを処理することができるユーザ端末を設計することが極めて望ましい。特に、複数の物理／トランスポートチャネルに対して受信されたデータを効率的に記憶し、そのようなデータの処理を容易にするために使用することができるデータバッファが極めて望ましい。
【０００７】
【課題を解決するための手段】
この発明は、多数の物理チャネルおよびトランスポートチャネルに対して受信したシンボルを効率的に記憶するために使用することができるデータバッファ構造を提供する。物理チャネルおよびトランスポートチャネルに対して受信したシンボルを記憶するために２つのバッファを備えることができる。各バッファは多数のセクションに分割することができ、セクションは、各物理またはトランスポートチャネルに対して受信したシンボルが各割当てられたセクションに記憶できるように割当てることが出来る。各バッファは（１）受信し記憶したシンボルが新しく受信したシンボルにより時期早々に上書きされない（２）バッファ内の断片化の量が低減されるまたは消去されるおよび（３）バッファの保守と動作が簡単化されるように分割し割当てることができる。
【０００８】
各バッファの設計と動作は、物理チャネルおよびトランスポートチャネルの種々の公知の特性を利用することができる。物理チャネルバッファの場合、各物理チャネルの拡散因子そして従って各無線フレームのサイズを決定することができ、バッファを適当なサイズを有したセクションに分割するために使用することができる。トランスポートチャネルバッファの場合には、各トランスポートチャネル上の（以下に定義する）各「トラヒック」のトランスポートフォーマット（例えば送信時間間隔（ＴＴＩ）およびデータ転送速度）を決定することができる。バッファのセクションは、（例えばＴＴＩの降順に）トランスポートチャネルに割当てることが出来、決定されたデータ転送速度に基づいて十分な量の記憶装置を各セクションに割当てることができる。また、特定の符号化された複合トランスポートチャネル（ＣＣＴｒＣＨ）のためのトランスポートチャネルは無線フレーム境界において（時間的）に合わされるので、バッファは、これらの境界において分割し割当てることができる。
【０００９】
この発明の観点は多数の（例えば物理またはトランスポート）チャネルを介して受信されるシンボルを記憶するためのバッファ構造を提供する。各チャネルは、受信したシンボルが処理される（例えばインターリーブされる）特定の時間間隔（例えば無線フレーム期間またはＴＴＩ）に関連する。バッファ構造はバッファとアドレス発生器を含む。バッファは多数のセクションに分割される。１つのセクションは処理される各チャネルに割当てられる。アドレス発生器はシンボルを割当てられたセクションに書き込むためのアドレスを供給する。このバッファ構造はＷ−ＣＤＭＡシステムの受信装置に有利に使用することができる。
【００１０】
バッファ構造がトランスポートチャネルのために使用されるなら、セクションは相関するＴＴＩに基づいて（例えば、ＴＴＩの降順に）トランスポートチャネルに割当てることができる。トランスポートチャネルが１つのＣＣＴｒＣＨのためのものならば、バッファはイニシャルロケーション（例えばバッファの一番上）から始まって分割することができ、セクションはバッファの一方向（例えば下方向）に沿って定義することができる。トランスポートチャネルが２つのＣＣＴｒＣＨのためのものなら、第１のＣＣＴｒＣＨのためのトランスポートチャネルは、第１イニシャルロケーション（例えば一番上）から始まって定義することができ、バッファの第１方向（例えば下方向）に沿って続き、第２のＣＣＴｒＣＨのためのトランスポートチャネルは第２イニシャルロケーション（例えば一番下）から始まって定義されるセクションに割当てることができ、バッファの反対方向（例えば上方向）に沿って続く。
【００１１】
この発明の種々の観点、実施形態、および特徴をさらに以下に述べる。
【００１２】
【発明の実施の形態】
この発明の特徴、性質、および利点は明細書全体を通して同一部に同符号を付した図面とともに以下に述べる詳細な説明からより明らかになるであろう。
【００１３】
図１はこの発明を実現することができる通信システム１００の簡単化されたブロック図である。特定の実施形態において、通信システム１００はＷ−ＣＤＭＡ規格に準拠するＣＤＭＡシステムである。送信器装置１１０において、データは一般にブロックでデータソース１１２から送信（ＴＸ）データプロセッサ１１４に送られる。送信データプロセッサ１１４はデータをフォーマット化し、符号化し、処理し、１つ以上のアナログ信号を発生する。次に、アナログ信号は送信器（ＴＭＴＲ）１１６に供給される。送信器１１６は信号を（直交）変調し、濾波し、増幅し、およびアップコンバートし、変調された信号を発生する。変調された信号は、１つ以上のアンテナ１１８（図１には１つのみ示されている）を介して１つ以上の受信器装置に送信される。
【００１４】
受信器装置１３０において、送信された信号は、１つ以上のアンテナ１３２（１つのみが示される）により受信され受信器（ＲＣＶＲ）１３４に供給される。受信器１３４内において、受信された信号は増幅され、濾波され、ダウンコンバートされ、（直交）復調され、および２値化されサンプルを発生する。次にサンプルは受信器（ＲＸ）データプロセッサ１３６により処理され復号され、送信された信号が再生される。受信器装置１３０における処理と復号は、送信器装置１１０において実行される処理と符号化と相補的な態様で実行される。次に、再生された信号はデータシンク１３８に供給される。
【００１５】
上述した信号処理は、音声、ビデオ、パケットデータ、メッセ−ジングの送信、および一方向における他の種類の通信をサポートする。双方向通信システムは２方向のデータ送信をサポートする。しかしながら、簡単のために他の方向のための信号処理は示されていない。
【００１６】
図２ＡはＷ−ＣＤＭＡ規格に従ってダウンリンクデータ送信のための送信器装置１１０における信号処理の図である。ダウンリンクは基地局からユーザ端末（またはユーザ機器（ＵＥ））への送信に言及し、アップリンクは、ユーザ端末から基地局への送信に言及する。図２Ａに示す信号処理は、一般に図１の送信器データプロセッサ１１４により実行される。Ｗ−ＣＤＭＡシステムのアッパーシグナリング層は多数のトランスポートチャネルの同時送信をサポートする。各トンラスポートチャネルは、特定の通信（例えば、音声、ビデオ、データ等）のためにデータを運ぶことができる。各トランスポートチャネルのためのデータは、トランスポートブロックとも呼ばれるブロックで各トランスポートチャネル処理セクション２１０に供給される。
【００１７】
ブロック２１２において、トランスポートチャネル処理セクション２１０内で各トランスポートブロックを用いて巡回冗長検査（ＣＲＣ）ビットが計算される。ＣＲＣビットはトランスポートブロックに取り付けられ、エラー検出のために受信器装置において使用される。次に、ブロック２１４において、多数のＣＲＣ符号化ブロックがシリアルに連結される。連結後の合計ビット数が符号ブロックの最大サイズより大きければ、ビットは多数の（サイズの等しい）符号ブロックに分割される。次に、ブロック２１６において、各符号ブロックは特定の符号化方式（例えば畳み込み符号、ターボ符号）で符号化されまたは全く符号化されない。
【００１８】
次に、ブロック２１８において、符号ビットについてレートマッチングが実行される。レートマッチングはより高次のシグナリング層により割当てられたレートマッチング属性に従って実行される。アップリンクに関して、送信されるビット数が利用可能なビット数と一致するようにビットが反復されまたはパンクチュアド（すなわち削除）される。ブロック２２０において、ダウンリンクに関して、未使用ビット位置が不連続送信（ＤＴＸ）ビットで充填される。ＤＴＸビットはいつ送信がオフになるかを示すものであり、実際にＤＴＸビットが送信されるわけではない。
【００１９】
次に、ブロック２２２において、ビットは特定のインタリービング方式に従ってインタリーブされ時間ダイバーシティを供給する。Ｗ−ＣＤＭＡ規格に従って、インタリービングが実行される時間間隔が可能な時間間隔のセット（すなわち、１０ｍｓｅｃ、２０ｍｓｅｃ、４０ｍｓｅｃまたは８０ｍｓｅｃ）から選択可能である。インタリービング時間間隔はまた送信時間間隔（ＴＴＩ）とも呼ばれる。ＴＴＩは各トランスポートチャネルに相関する属性であり、Ｗ−ＣＤＭＡ規格に従って、通信セッションの持続時間を変更しない。ここで使用されるように、「トラヒック」は特定のトランスポートチャネルに対して１つのＴＴＩ内のビットから構成される。
【００２０】
ブロック２２４において、選択されたＴＴＩが１０ｍｓｅｃより長いとき、トラヒックは分割され連続するトランスポートチャネル無線フレームにマッピングされる。各トランスポートチャネル無線フレームは（１０ｍｓｅｃ）の無線フレーム期間を超える送信に対応する。Ｗ−ＣＤＭＡ規格に従って、トラヒックは１、２、４または８無線フレーム期間に対してインタリーブ可能である。
【００２１】
ブロック２３２において、すべてのアクティブトランスポートチャネル処理セクション２１０からの無線フレームがシリアルに符号化複合トランスポートチャネル（ＣＣＴｒＣＨ）に多重化される。ブロック２３４において、送信されるビット数がそのデータ送信のために使用される物理チャネル上で利用可能なビット数に一致するようにＤＴＸビットを挿入することができる。１つ以上の物理チャネルが使用されるなら、ブロック２３６において、ビットは物理チャネル間で分割される。特定の物理チャネルは異なるＴＴＩを有するトランスポートチャネルを運ぶことができる。次に、ブロック２３８において、各物理チャネルに対する各無線フレーム期間におけるビットがインターリーブされ、さらなる時間ダイバーシティを供給する。次に、ブロック２４０において、インターリーブされた物理チャネル無線フレームは各物理チャネルにマッピングされる。ユーザ端末に送信するのに適した変調された信号を発生するためのその次の信号処理は技術的に知られており、ここでは記載しない。
【００２２】
図２ＢはＷ−ＣＤＭＡ規格に従ってダウンリンクデータ送信のための受信器装置１３０における信号処理の図である。図２Ｂに示す信号処理は図２Ａに示す信号処理と相補的であり、一般に図１の受信データプロセッサ１３６により実行される。最初に変調された信号が受信され、条件づけされ、２値化され、処理されてそのデータ送信のために使用される各物理チャネルにシンボルを供給する。各シンボルは特定の分解能（例えば４ビット）を有し、送信されたビットに対応する。各物理チャネルに対する各無線フレーム期間のシンボルはブロック２５２においてデインターリーブされ、すべての物理チャネルからのデインターリーブされたシンボルはブロック２５４において連結される。ブロック２５６において、ダウンリンク送信に対して、送信されなかったビットが検出され除去される。次に、ブロック２５８において、シンボルは種々のトランスポートチャネルに逆多重化される。次に、各トランスポートチャネルに対する無線フレームは各トランスポートチャネル処理セクション２６０に供給される。
【００２３】
ブロック２６２において、トランスポートチャネル処理セクション２６０内において、トランスポートチャネル無線フレームはトラヒックに連結される。各トラヒックは１つ以上のトランスポートチャネル無線フレームを含み、送信器装置において使用される特定のＴＴＩに対応する。ブロック２６４において、各トラヒック内のシンボルはデインターリーブされ、ブロック２６６において送信されなかったシンボルは除去される。次に、ブロック２６８において、逆レートマッチングが行なわれ、反復されたシンボルを蓄積し、パンクチュアドされたシンボルに対し「不定」を挿入する。次に、ブロック２７０において、そのトラヒック内の各符号化されたブロックが復号される。次に、ブロック２７２において、復号されたブロックは連結され、各トランスポートブロックに分割される。次に、ブロック２７４において、各トランスポートブロックはＣＲＣビットを用いてエラーがチェックされる。
【００２４】
Ｗ−ＣＤＭＡ規格に従って、多数の物理チャネルを用いてデータを特定のユーザ端末に送信することができる。各物理チャネルは、特定の拡散因子（ダウンリンクの場合４乃至５１２の範囲）を持つ直交可変拡散因子（ＯＶＳＦ）符号でカバーされる。各物理チャネルに対するＯＶＳＦ符号は通信セッションの開始時に（ネットワークにより）決定され、一般にいくつかの例を除きセッションの間変わらない。変わる場合は、（１）物理チャネルが物理ダウンリンク共有チャネル（ＰＤＳＣＨ）タイプの場合、または（２）受信器装置が他のセルとハンドオフの状態にあり、他のセルが他のおそらく異なるＯＶＳＦ符号を物理チャネルに割当てる場合である。より小さな拡散因子（例えば４）はより短い符号長に対応し、より高次のデータレートのために使用され、より大きな拡散因子（例えば５１２）はより長い符号長に対応し、より低いデータレートのために使用される。
【００２５】
Ｗ−ＣＤＭＡ規格に従って、任意の（１０ｍｓｅｃ）無線フレーム間隔の場合、すべての物理チャネルに対するビットの合計数は特別の指定された制限値Ｃｐに制限される。この値は一般に一部ユーザ機器（ＵＥ）の能力により決定される。この仕様は
【数１】
2004515094.tif 000002
として表すことができる。
【００２６】
但し、Ｎｐｉは特別の無線フレーム期間における物理チャネルｉのビット数であり、Ｋｐは物理チャネルの合計数であり、Ｃｐは指定された制限値である。
【００２７】
受信器装置において、各物理チャネルを介して受信したシンボルは処理され（例えば逆拡散または逆カバーされ）、各無線フレーム期間においてデインターリーブされる。デインターリービングはバッファを使用して達成される。各ＣＣＴｒＣＨに相関するすべての物理チャネルのデインターリーブされたシンボルは連結され、各トランスポートチャネルに逆多重化される。
【００２８】
各無線フレーム期間に対して、現在の無線フレーム期間に対して物理チャネルに対して受信したシンボルが、次の無線フレーム期間に対するシンボルが受信される前に次の処理セクションに供給できないならば、現在の無線フレーム期間に対する受信したシンボルは一時的にバッファリングする必要がある。次の無線フレーム期間の新しいシンボルはバッファの利用可能な部分に記憶することができる。
【００２９】
唯一つの物理チャネルを処理中ならば、（１＋ε）Ｋｓのサイズの環状バッファを用いてその物理チャネルに対するシンボルを記憶することができる。但し、Ｋｓは各無線フレーム期間に対して物理チャネルに対して受信されるシンボル数であり、ε（無線フレーム期間の単位で）は以前に受信し記憶したシンボルを読み出すのにかかる時間である。添え字「ｓ」はＳの拡散因子が使用されていることを示す。この環状バッファの場合、第１の物理チャネル無線フレームはロケーション０乃至（Ｋｓ−１）に記憶することができ、次の物理チャネル無線フレームはロケーションＫｓ乃至（２Ｋｓ−１）ｍｏｄ（１＋ε）Ｋｓに記憶することができる、等々である。特定の例として、Ｋｓ＝１００でε＝０．０３なら、第１の無線フレーム期間はロケーション０乃至９９に記憶することができ、第２の無線フレーム期間はロケーション１００乃至９６（バッファは、１０２に到達した後０にラップアラウンドする）に記憶することができ、第３の無線フレーム期間はロケーション９７乃至９３に記憶することができる、等々である。従って、第２無線フレームの最初の３つのシンボルはロケーション１００乃至１０２に書かれ、最初の無線フレームのシンボルは次の処理セクションに供給される。このようなバッファの動作は記憶されたシンボルの時期早々の上書きを回避する。
【００３０】
各無線フレーム期間におけるすべての物理チャネルに対するビットの合計数が式（１）で示すように指定された制限値Ｃｐ内である限り、Ｗ−ＣＤＭＡ規格は複数の物理チャネルの同時受信を許容する。例えば、受信器装置が４の拡散因子を有する単一物理チャネルをサポートすることができるなら、（１）８の拡散因子を有する２つの物理チャネル、または（２）１６の拡散因子を有する４つの物理チャネル、または（３）８の拡散因子を有する１つの物理チャネルと、１６の拡散因子を有する２つの物理チャネルをサポートすることもできる、等々である。
【００３１】
複数の物理チャネルが受信され、それらのシンボルがバッファの連続するセクションに書かれるなら、現在の無線フレーム期間で受信したシンボルは、次の無線フレーム期間に対するシンボルで時期早々に上書きされるかもしれない。一例として、２つの物理チャネルが同時に受信でき、各物理チャネルは２Ｓの拡散因子を有し、シンボルの合計数の半分を運ぶ（すなわちＫ２ｓ＝Ｋｓ／２）。これら２つの物理チャネルのシンボルがバッファの連続するセクションに記憶されるなら、第１の物理チャネルのシンボルはロケーション０乃至（Ｋ２ｓ−１）（例えばＫｓ＝１００、Ｋ２ｓ＝５０、およびε＝０．０３を用いると０乃至４９）に記憶でき、第２の物理チャネルのシンボルは、ロケーションＫ２ｓないし（２Ｋ２ｓ−１）（例えば、５０乃至９９）に記憶することができる。次の無線フレーム期間、第１の物理チャネルのシンボルは、ロケーション２Ｋ２ｓ乃至（３Ｋ２ｓ−１）ｍｏｄ（１＋ε）Ｋｓ（例えば１００乃至４６）に記憶することができ、第２物理チャネルのシンボルは、ロケーション３Ｋ２ｓｍｏｄ（１＋ε）Ｋｓ乃至（４Ｋ２ｓ−１）ｍｏｄ（１＋ε）Ｋｓ（例えば４７乃至９６）に記憶することができる。このバッファリング方式を用いて、第１の物理チャネルのシンボルは、第２の物理チャネルのシンボルにより時期早々に上書きされるであろう（例えば、ロケーション４７乃至４９に記憶されたシンボルは時期早々に上書きされるであろう）。
【００３２】
この発明の観点に従って、すべての物理チャネルに対して受信したシンボルを記憶するためにバッファが提供される。物理チャネルの種々の特性をバッファの設計と動作に利用することができる。各物理チャネルの拡散因子は決定することができバッファを適当なサイズのセクションに分割するのに使用することができる。従って、各物理チャネルに対して受信したシンボルがバッファの各セクションに記憶できるようにセクションが物理チャネルに割当てられる。（１）現在の無線フレーム期間で受信したシンボルが時期早々に上書きされない、（２）バッファの断片化の量が低減されまたは消去される、（３）バッファの管理と動作が簡単化されるようにセクションを定義し、割当てることが出来る。
【００３３】
図３は、この発明の一実施形態に従って、複数の物理チャネルに対して受信したシンボルをバッファ３００に記憶することを示す図である。この実施形態において、物理チャネルはバッファ３００の各セクションが割当てられる。各セクションは、セクションに受信し記憶することになっている物理チャネル無線フレームのサイズに基づいて適当なサイズに設定される。
【００３４】
図３に示すように、Ｎｐ個の物理チャネルが受信中である。最初に各無線フレーム期間の前に物理チャネルの拡散因子が決定され、次の無線フレーム期間で受信することになっている無線フレームのサイズを計算するために使用される。決定された無線フレームサイズに基づいて、バッファ３００は適当に分割することができ、物理チャネルに割当てることが出来る。
【００３５】
殆どの物理チャネルの拡散因子はセッションの開始時にネゴシエートされ、一般には１つの無線フレームから次の無線フレームに変わらない。従って、決定された拡散因子に基づいてこれらの物理チャネルに対してバッファのセクションを割当てることが出来る。例外はＰＤＳＣＨであり、この拡散因子は通信中に変更することができ、トランスポートフォーマット組合せセット（ＴＦＣＳ）の関数として定義される可能な拡散因子のセットから選択される。しかしながら、ＰＤＳＣＨの最も低い拡散因子は接続の期間全体にわたって一定であると考えることができる。実施形態において、最も小さな可能な拡散因子に適応するために記憶装置がＰＤＳＣＨに割当てられる。例えば、ＰＤＳＣＨがセット｛６４、１２８、および２５６｝の中で拡散因子を変更可能であるならば、６４の拡散因子を仮定することにより十分な空間がＰＤＳＣＨに割当てられる。
【００３６】
図３に示す例において、バッファ３００は物理チャネル番号およびサイズに基づいて分割され割当てられる。この簡単な方式において、バッファ３００の一番上にあるセクション３２２は物理チャネル１に割当てられ、（１＋ε）Ｋｓ１のサイズを有する。但し、Ｋｓ１は無線フレーム期間に物理チャネル１に対して受信することになっているシンボルの数であり、εは記憶された物理チャネル無線フレームを読み出すためにかかる時間である。同様に、（セクション３２２の下に定義される）バッファ３００内のセクション３２４は物理チャネル２に割当てられ、（１＋ε）Ｋｓ２のサイズを有する。但しＫｓ２は物理チャネル２に対して受信することになっているシンボルの数である。このプロセスは同様に他の物理チャネルに対しても続く。最後に、バッファ３００の一番下にあるセクション３３２は物理チャネルＮｐに割当てられ、（１＋ε）Ｋｓｎｐのサイズを有する。但しＫｓｎｐは物理チャネルＮｐに対して受信することになっているシンボルの数である。
【００３７】
特定の例として、２つの物理チャネルを受信することができる。各物理チャネルは２Ｓの（またはそれより高い）拡散因子を持つ。バッファ３００は（１＋ε）Ｋｓのサイズで実現することができ、２つのサイズの等しいセクションに分割することができる。各セクションは（１＋ε）Ｋ２ｓのサイズを有し、各物理チャネルに割当てることができる。他の特定の例として、４つの物理チャネルを受信することができる。各物理チャネルは４ｓ（またはそれより高い）拡散因子を有する。バッファ３００は（１＋ε）Ｋｓのサイズで実現することができ、４つのサイズの等しいセクションに分割することができる。各セクションは（１＋ε）Ｋ４ｓのサイズを有し、各物理チャネルに割当てることができる。さらに他の特定の例として、３つの物理チャネルを受信することができる。１つの物理チャネルは２Ｓの拡散因子を有し、２つの物理チャネルは４Ｓの（またはそれより高い）拡散因子を有する。バッファ３００は（１＋ε）Ｋｓのサイズで実現することができ、サイズ（１＋ε）Ｋ２ｓの１つのセクションとサイズ（１＋ε）Ｋ４ｓの２つのサイズの等しいセクションに分割することができる。サイズ（１＋ε）Ｋ２ｓのより大きなセクションは２Ｓの拡散因子に割当てることができ、２つのより小さなセクションは４Ｓの拡散因子を有する２つの物理チャネルに割当てることが出来る。シンボルは置換された順番にセクションに書き込むことができ、ブロック２５２において、シーケンシャルの順番に読み出すことができ、第２デインターリービングを得ることができる。あるいは、シンボルはシーケンシャルの順番にセクションに書き込むことができ、置換された順番に読み出して第２のデインターリ−ビングを得ることができる。図３に示すように、各セクションに対して書き込みポインタはセクションの一番上にイニシャライズすることができ、シンボルがセクションに書かれると更新することができる（例えば、シンボルがシーケンシャルの順番にバッファに書かれるとデクリメントすることができる）。あるいは、書き込みポインタはセクションの一番下にイニシャライズすることができ、シンボルがシーケンシャルにセクションに書かれるときインクリメントすることができる。読み出しポインタはまた各セクションに対して維持することができ、セクションから読むべき次のシンボルを識別するために使用することができる。
【００３８】
各割当てられたセクションはレギュラーバッファ（すなわち定義された一番上と一番下を有する）または環状バッファとして動作可能である。シンボルがシーケンシャルな順番にバッファに書かれるなら、物理あたりのチャネル環状バッファ方式は効率的かもしれない。そうでなければ、各物理チャネルに割当てられる空間は（１＋ε）Ｋである必要があるかもしれない。ただしε≧１である。
【００３９】
バッファ３００は種々の方法で分割することができる。一実施形態において、セクションはバッファ３００の一番上から始まり定義され下方向に移動される。しかしながら、任意の開始ロケーションを選択することができ、セクションはまたいずれかの方向（上方法、下方向または両方）に沿って定義することができる。
【００４０】
バッファ３００は物理チャネルに対して受信したシンボルを効率的に記憶することができる。物理チャネルの数および無線フレームサイズに関係なく、シンボルの合計数が式（１）で表されるように制限される限り、受信したシンボルの記憶は特定のサイズのバッファを用いて達成することができる（例えば（１＋ε）Ｃｐ、但しε≧０）。
【００４１】
バッファ３００は断片化が低減または消去されるように動作することができる。一実施形態において、セクションは、バッファの連続する空間が利用されるように物理チャネルに割当てられる。物理チャネルが落ちると、１つ以上の物理チャネルに対して以前に割当てられた１つ以上のセクションを上方へ移動することができるかもしれない、それによりこれらの物理チャネルに対して元々割当てられた空間を解放する。これはバッファの連続したフリーエリアを作り、これはより小さな拡散因子を有する別の物理チャネルに割当てることができる。
【００４２】
例えば、バッファは８の拡散因子を有する１つの物理チャネルに対してシンボルを記憶する能力を有して設計することができる。３つの物理チャネルを受信することができ、各物理チャネルは３２の拡散因子を有する。第１、第２および第３の物理チャネルをそれぞれロケーション（０乃至Ｘ−１）、（Ｘ乃至２Ｘ−１）および（２Ｘ乃至３Ｘ−１）から定義されたバッファの３つのセクションに割当てることができる。次に第２の物理チャネルが落ちると、第３の物理チャネルが（２Ｘ乃至３Ｘ−１）ないし（Ｘ乃至２Ｘ−１）に移動することができ、（２Ｘ乃至３Ｘ−１）において空間を自由にすることができる。（２Ｘ乃至４Ｘ−１）からのバッファの連続するセクションは１６の拡散因子を有する１つの物理チャネル、３２の拡散因子を有する２つの物理チャネル等々に割当てることができる。
【００４３】
他の実施形態において、バッファに単一の連続するフリーエリアを維持する必要が無いことを利用してセクションを物理チャネルに割当てることができる。特に、バッファ、多数の（２Ｎ、但しＮは整数１、２、・・・）の物理チャネルからのシンボルを記憶することのできる全体サイズ（Ｋ）の寸法を有することができると仮定すると、各物理チャネルはＳＦ＝ｓの拡散因子を持つ。ｓ’の拡散因子を有する物理チャネルには、ロケーションＫｓ’Ｌで始まるセクションが割当てられる。但しＬは、このセクションがすでに他の物理チャネルに割当てられた他のセクションと重畳しないように最も小さな整数である。逆断片化が行なわれると、より大きな拡散因子を持つ物理チャネルが最初に再割り当てされる。これは逆断片化の期間再割り当ての数を著しく低減することができる。
【００４４】
例えば、サイズＫ８のバッファを考える。上述した実施形態に従って、ＳＦ＝６４の物理チャネルに割当てられたセクション１−Ｋ６４、ＳＦ＝３２の第２物理チャネルに割当てられた（Ｋ３２＋１）−２Ｋ３２、およびＳＦ＝１６の第３物理チャネルに割当てられた（Ｋ１６＋１）−２Ｋ１６を持つことは有効な構成である。第２物理チャネルが移動すると、上述の実施形態は、第３物理チャネルの不必要な「上方への移動」を防止する。他の例として、セクション１〜Ｋ６４、（Ｋ６４＋１）〜２Ｋ６４、（２Ｋ６４＋１）から３Ｋ６４および（４Ｋ６４＋１）〜６Ｋ６４がそれぞれ物理チャネルＡ，Ｂ，Ｃ，およびＤに割当てられると仮定する。物理チャネルＡ、ＢおよびＣの拡散因子および物理チャネルＤの拡散因子は３２である。物理チャネルＡが落ちると、物理チャネルＢ、ＣおよびＤがそれぞれセクション１〜Ｋ６４、（Ｋ６４＋１）−２Ｋ６４、（２Ｋ６４＋１）−４Ｋ６４に「上方移動」する、それにより、拡散因子１６の物理チャネルに対する十分な自由空間を作る。
【００４５】
図４はこの発明の一実施形態に従って、バッファを多数のセクションに分割し、セクションを複数の物理チャネルに割当てるプロセス４００のフロー図である。プロセス４００は各無線フレーム期間の開始時またはその前に（すなわち物理チャネル無線フレームの受信前に）実行することができる。
【００４６】
最初に、ステップ４１２において、特定の指定された時間において（例えば図３のｔ１前に）受信すべき物理チャネルが識別される。ステップ４１４において、各物理チャネルの拡散因子および無線フレームサイズが決定される。次に、物理チャネルがバッファの各セクションに割当てられる。ステップ４２２において、バッファのセクションがまだ割当てられていない物理チャネルが選択される。次に、ステップ４２４において、バッファのセクションが定義され、選択された物理チャネルに割当てられる。このセクションはバッファの一番上からまたは以前に割当てられたセクションの終わりから定義することができる。このセクションは、上述したように全体の無線フレームおよび（恐らく）その物理チャネルに対して受信される次の無線フレームの一部を記憶するのに十分な容量を有して定義される。次に、ステップ４２６において、割当てられたセクションに対する書き込みポインタおよび読み出しポインタが（例えば、割当てられたセクションの一番上に）イニシャライズされる。ステップ４２８において、物理チャネルが考慮から除去される。
【００４７】
次に、ステップ４３２において、すべての物理チャネルにバッファのセクションが割当てられたかどうかの判断がなされる。すべての物理チャネルのバッファのセクションが割当てられたなら、プロセスは終了する。そうでなければ、プロセスはステップ４２２に戻り、バッファのセクションがまだ割当てられていない別の物理チャネルが割当てのために選択される。
【００４８】
Ｗ−ＣＤＭＡ規格に従って、多数のトランスポートチャネルを用いて特定のユーザ端末にデータを送信することができる。各トランスポートチャネルは、データがインターリーブされる特定のＴＴＩ（すなわち１０、２０、４０または８０ｍｓｅｃ）に相関することができる。特定のトランスポートチャネルのためのＴＴＩは通信セッションの開始時に決定され、一般にはセッション中に変わらない。異なるＴＴＩは異なるトランスポートチャネルと相関することができ、異なる種類のサービスのために使用することができる。より短いＴＴＩはより少ない時間ダイバーシティを供給し、長い処理遅延を容認できないサービス（例えば音声）のために使用することができる。その一方、より長いＴＴＩは改良された時間ダイバーシティを供給でき、遅延に敏感でないサービス（例えばトラヒックデータ）のために使用することができる。
【００４９】
上述したように、いかなる組合せのＴＴＩを有したいかなる数のトランスポートチャネルを用いてデータを送信することができる。また、各トランスポートチャネルのデータは可変でき、１つのＴＴＩから次のＴＴＩに変換することができる。Ｗ−ＣＤＭＡ規格に従って、いかなる任意の（１０ｍｓｅｃ）無線フレーム期間に対してすべてのトランスポートチャネルの情報ビットの合計数は特定の指定された制限値ＣＴ以下に制限される。この制限値は一般に一部ユーザ機器の能力により決定される。この明細書は、
【数２】
2004515094.tif 000003
として表すことができる。
【００５０】
但し、ＮＴｉは特定の無線フレーム期間に対するトランスポートチャネルｉの情報ビットの数である。ＫＴはトランスポートチャネルの合計数であり、ＣＴは指定された制限値である。
【００５１】
図５は特定のＣＣＴｒＣＨの複数のトランスポートチャネルに対する例示データ送信の図である。この特定の例において、ＣＣＴｒＣＨはそれぞれ８０ｍｓｅｃ、４０ｍｓｅｃ、２０ｍｓｅｃおよび１０ｍｓｅｃのＴＴＩに相関する４つのトランスポートチャネルを含む。Ｗ−ＣＤＭＡ規格に従って、これらのトランスポートチャネルは同じＣＣＴｒＣＨに相関するので、時間において（例えばｔ１、ｔ２等）合わされている。
【００５２】
各トランスポートチャネルに対して、データ転送速度は１つのトラヒックから次のトラヒックに変化することができる。従って、各トラヒックはいかなる数の情報ビットも含むことができ、式（２）で表される制限を受ける。例えば、トランスポートチャネル５１４のトラヒック５２４ｂはトラヒック５２４ａより多くの情報を含むことができる。式（２）により与えられる制限のために、各無線フレーム期間に対する情報ビットの合計数は指定された値ＣＴに制限される。従って、トランスポートチャネルが指定された制限値ＣＴで送信され、トランスポートチャネルのデータ転送速度が増大するなら、それに従って１つ以上の他のトランスポートチャネル上のデータ転送速度を減少する必要がある。例えば、５番目の無線フレーム間隔の場合、トラヒック５２４ｂのデータ転送速度が増加するなら、トラヒック５２６ｃまたは５２８ｅのデータ転送速度は減少し、式（２）を維持する。
【００５３】
１つのトラヒックから次のトラヒックへのデータ転送速度の調節のための許容値はより一層の柔軟性を供給する。例えば、情報ビットは（例えば実際の要件に基づいて）トランスポートチャネル間で動的に割当てることができる。しかしながら、トランスポートチャネル間の情報ビットの柔軟な割当ては、受信した信号を記憶するためのバッファの設計を挑戦的にする。
【００５４】
多数のトランスポートチャネルを介して受信したシンボルを記憶するために多数のバッファ設計を使用することができる。１つの簡単なバッファ設計において、各トランスポートチャネルから、１つのバッファを割当てることができ、各トランスポートチャネルから受信したシンボルを記憶するために使用することができる。各トランスポートチャネルは（理論的には）指定された制限値ＣＴまでデータを運ぶことができるので、各バッファは、８（１＋δ）Ｃシンボルまで記憶するための容量を有するように設計することができる。δは最大ＴＴＩに相当し、δは以前に受信し記憶したトラヒックを読み出すのにかかる時間である。さらに、多数のトランスポートチャネルは同時に送信することができるので、各トランスポートチャネルに対して１つの割合で多数のバッファを設けることができる。この簡単なバッファ設計は、式（２）により実際に必要となる記憶容量よりも多くの記憶容量を必要とし、利用可能なリソースの非効率な使用を生じる。
【００５５】
この発明の他の観点に従って、すべてのトランスポートチャネルに対して受信したシンボルを記憶するためのバッファが提供される。バッファは、各トランスポートチャネルに対して受信したシンボルがバッファの各セクションに記憶できるように、分割され割当てられる。セクションは（１）受信し記憶したトラヒックが新しく受信したトラヒックにより時期早々に上書きされない、（２）バッファの断片化の量が低減されまたは消去される、および（３）バッファの保守および動作が簡単化されるように定義され割当てられる。
【００５６】
トランスポートチャネルの種々の特性は、バッファの設計および動作に利用することができる。第１に特定のＣＣＴｒＣＨに対するトランスポートチャネルは無線フレーム境界において（時間的に）合わされているので、バッファは、これらの境界で分割し割当てることができる。第２に、各トランスポートチャネル上の各トラヒックのトランスポートフォーマット（例えばＴＴＩおよびデータ転送速度）はトラヒックの受信前に決定することができる。ＴＴＩ情報は、トランスポートチャネルにバッファのセクションを割当てるために使用することができ、データ転送速度情報は、各セクションに十分な量の記憶装置を割当てるために使用することができる。
【００５７】
図６は、この発明の一実施形態に従って、複数のトランスポートチャネルから受信したシンボルをバッファ６００に記憶することを示す図である。この実施形態において、トランスポートチャネルには、ＴＴＩに基づいて、ＴＴＩの降順にバッファ６００の各セクションが割当てられる。また、各セクションは、受信し、セクションに記憶することになっているトラヒックのサイズに基づいて適当なサイズを有する。
【００５８】
実施形態において、Ｗ−ＣＤＭＡシステムの場合、ブロック２６８の逆レートマッチングが「所定の位置で」達成できるように、シンボルを割当てられたセクションに記憶することができる。この実施形態において、シンボル反復が送信器装置において実行されるなら、反復されたシンボルは、割当てられたセクションの適当なロケーションに蓄積することができる。このように、唯一つの蓄積されたシンボルが各情報ビットに対して記憶される。これは、複数の反復されたビットを用いて送信されたかもしれない。あるいは、シンボルは受信されるときに記憶することができ、逆レートマッチングはバッファから検索されるときにシンボルに対して実行することができる。
【００５９】
明確にするために、バッファ６００の動作は、４つのトランスポートチャネルが受信される図５に示す特定例に対して示される。最初に、時刻ｔ１前に、４つのトランスポートチャネルは８０ｍｓｅｃ、４０ｍｓｅｃ、２０ｍｓｅｃ、および１０ｍｓｅｃであるように決定することができる。これら４つのトランスポートチャネルに対して受信されるトラヒックＴ８０，１、Ｔ４０，１、Ｔ２０，１およびＴ１０，１のデータ転送速度も決定することができ、（情報の数および符号テールシンボルにおいて）これらのトラヒックのサイズはそれぞれＮ８０，１、Ｎ４０，１、Ｎ２０，１、Ｎ１０，１として計算することができる。決定されたトラヒックサイズに基づいてバッファ６００は時刻ｔ１において開始する受信される４つのトラヒックに対して分割および割り当てされる。
【００６０】
実施形態において、バッファ６００はＴＴＩに基づいて分割されたトランスポートチャネルに割当てられる。図６に示す例において、最も長いＴＴＩに相関するトラヒックＴ８０，１はバッファ６００の一番上のセクション６２２ａに割当てられる。十分な空間（Ｎ８０，１）がセクション６２２ａに割当てられ、全体のトラヒックＴ８０，１を記憶する。さらなる空間（δ、Ｎ８０，１）を割当てて、現在のトラヒックＴ８０，１を処理している間に次のトラヒックＴ８０，２の一部を記憶するようにしてもよい。従って、（１＋δ）Ｎ８０，１までを記憶するように容量を有する寸法を有したバッファ６００の一番上にあるセクション６２２ａはトランスポートチャネル１に割当てられ、トラヒックＴ８０，１のためのシンボルを記憶するために使用される。
【００６１】
同様に、時刻ｔ１の前に、バッファ６００のセクション６２４ａは次に最も長いＴＴＩに相関するトラヒックＴ４０，１に対して割当てられる。再び全体のトラヒックＴ４０，１のために十分な空間（Ｎ４０，１）がセクション６２４ａに割当てられ、さらなる空間（δＮ４０，１）を割当てて、現在のトラヒックＴ４０，１が処理中に次のトラヒックＴ４０，２の一部を記憶するようにしてもよい。従って、セクション６２２ａの下に定義され、（１＋δ）Ｎ４０，１シンボルまでを記憶する容量を有するセクション６２４ａはトランスポートチャネル２に割当てられ、トラヒックＴ４０，１のシンボルを記憶するために使用される。
【００６２】
他のトランスポートチャネルのためのバッファ６００の割当ては同様に続行する。特に、セクション６２６ａはトランスポートチャネル３に割当てられ、次に最も長いＴＴＩに相関するトラヒックＴ２０，１のシンボルを記憶するために使用される。セクション６２６ａはセクション６２４ａの下に定義され、（１＋δ）Ｎ２０，１までを記憶するようなキャパシティを有した寸法を有する。最も短いＴＴＩに相関する、トランスポートチャネル４上のトラヒックＴ１０，１のシンボルはセクション６２６ａの下に定義されるセクション６２８ａに記憶することができる。
【００６３】
最初に、無線フレーム境界の開始時に、各トラヒックのための書き込みポインタ（および読み出しポインタ）は特定の開始ロケーション（例えば割り当てられたセクションの一番上）にイニシャライズすることができる。特定のトラヒックのためのシンボルは受信されバッファ６００の割当てられたセクションに書き込まれるので、それに従って書き込みポインタを更新（例えばデクリメント）することができる。ブロック２６４において最初のデインターリービングを達成するためにセクションの置換されたロケーションに書き込むことができる。実施形態において、バッファ６００の各割当てられたセクションは循環バッファとして動作することができる。
【００６４】
次の無線フレーム境界ｔ２において、トランスポートチャネル４上のトラヒックＴ１０，２が完全に受信され、このトラヒックに関する処理を開始することができる。トラヒックＴ１０，１がタイムリーな態様で処理できなら、トランスポートチャネル４上で受信する次のトラヒックＴ１０，２が、トラヒックＴ１０，１と同じ開始ロケーションで開始して記憶することができる。（図６に示すように、書き込みポインタはトラヒックＴ１０，１と同じ開始ロケーションに再イニシャライズされる）。次のトラヒック（例えばＴ１０，２）のシンボルを受信するまでにトラヒック（例えばＴ１０，１）が処理できない場合は、現在のトラヒックのシンボルが時期早々に上書きされないように、新しいトラヒックのシンボルを記憶することができる。例えば、新しいトラヒックのシンボルがトランスポートチャネルのために割当てられたセクション（例えばδＫ）の終わりで記憶することができる。
【００６５】
実施形態において、各割当てられたセクションは通常の（すなわち定義された一番上および一番下を有した）バッファとして動作される。あるいは各セクションを循環バッファとして動作させてもよい。但し、現在のトラヒックのシンボルが処理できる前に上書きされないように循環バッファの正常な動作を保証するためにさらなる空間を割当てる必要があるかもしれない。
【００６６】
次の無線フレーム境界ｔ３において、トランスポートチャネル３からのトラヒックＴ２０，１とトランスポートチャネル４からのトラヒックＴ１０，２が完全に受信され、これらのトラヒックに関する処理を開始することができる。トランスポートチャネル３に関して受信すべき次のトラヒックＴ２０，２のサイズに関する判断を行うことができ、このトラヒックに対して、適当なサイズ（１＋δ）Ｎ２０，２のバッファ６００のセクション６２６ｂが割当てられる。バッファ６００の次のセクション６２８ｃをトランスポートチャネル４に関して受信されるトラヒックＴ１０，３に対して割当てることが出来る。新しいトラヒックＴ２０，２およびＴ１０，３のシンボルは各割当てられたセクション６２６ｂおよび６２８ｃに記憶することができる（再び、以前に受信したトラヒックに関する処理がタイムリーに完了できるか否かに応じてそのセクションの開始からまたは以前に受信したトラヒックＴ２０，１およびＴ１０，２の終わりから）
図６に示すように、バッファ６００のセクションをトランスポートチャネルのＴＴＩの降順に割当てることにより、かつバッファ６００の一番上に近いセクションをより長いＴＴＩに相関するトランスポートチャネルに割当てることにより、バッファの断片化が低減または消去される。上述した割当て方式の場合、特定のトランスポートチャネルに割当てられたセクションのサイズを変更する必要がある場合、この変更は、新しいトラヒックが同じおよび短いＴＴＩに相関する他のトランスポートチャネルに対しても受信されるであろう無線フレーム境界において生じる。従って、バッファ６００は、より長いＴＴＩに相関する他のトランスポートチャネルに既に割当てられたセクションに影響を与えることなしにこれらのトランスポートチャネル上で受信される新しいトラヒックに対して再分割可能である。なぜなら、これらのセクションは上に位置決めされ、再分割により影響を受けないからである。
【００６７】
図６に示す例の場合、トランスポートチャネル３のデータ転送速度が無線フレーム境界ｔ３において変化するなら、トランスポートチャネル３および４に対して新しいトラヒックが受信されるであろう。従って、バッファ６００はトランスポートチャネル１および２に対する割当てに影響を与える事無くこれらのトランスポートチャネルに対して再分割することができる。同様に、トランスポートチャネル２のデータ転送速度が無線フレーム境界ｔ５において変化するなら、トランスポートチャネル２、３および４に対して新しいトラヒックが受信されるであろう。従って、バッファ６００は、トランスポートチャネル１に対する割当てに影響を与えることなく、これらのトランスポートチャネルに対して再分割することができる。トランスポートチャネル１のデータ転送速度が無線フレーム境界ｔ０において変化するなら、すべての４つのトランスポートチャネルに対して新しいトラヒックが受信されるであろう、そしてバッファ６００はすべての４つのトランスポートチャネルに対して再分割することができる。
【００６８】
簡単のために、バッファ６００のセクションはバッファの「一番上」を開始として定義される。しかしながら、なんらかの任意の開始点を選択することができる（例えば、バッファ６００の一番下、真中あるいはその他のロケーション）。選択された開始点から、セクションはバッファの特定の方向に沿って定義することができる（上方向または下方向）。書き込みポインタおよび読み出しポインタは所望のバッファ構造を実現するために適当にイニシャライズおよび維持することができる。
【００６９】
Ｗ−ＣＤＭＡ規格に従って、特定のＣＣＴｒＣＨに対するトランスポートチャネルが図６に示すように時間的に合わされる。しかしながら、Ｗ−ＣＤＭＡは同時に送信された複数のＣＣＴｒＣＨ間の特定のタイミング関係を定義しない。これらのＣＣＴｒＣＨに対するトランスポートチャネルは互いに（時間的）に合わさらなくても良く、非同期であると見ることができる。Ｗ−ＣＤＭＡ規格に従って、２つのＣＣＴｒＣＨのトランスポートチャネルの８０ｍｓｅｃＴＴＩ境界は４０ミリ秒だけ離すことができる。この最大タイムオフセットの場合、すべてのＣＣＴｒＣＨにおけるトランスポートチャネルに対するＴＴＩの降順のバッファの割当ては可能でないかもしれない。
【００７０】
複数の同時に送信されたＣＣＴｒＣＨの場合でも、Ｗ−ＣＤＭＡ規格は依然として、なんらかの無線フレーム間隔にわたってすべてのトランスポートチャネルに対する情報ビットの合計数が式（２）で表すように指定された制限値ＣＴ以下であることを指定する。しかしながら、Ｗ−ＣＤＭＡ規格は各ＣＣＴｒＣＨに関して送信できる特定の最大ビット数を指定しない。指定された制限値ＣＴを用いて、複数のＣＣＴｒＣＨを介して受信したシンボルを効率的に記憶するようにバッファを設計および動作させることができる。
【００７１】
図７はこの発明の実施形態に従って、２つのＣＣＴｒＣＨに相関する複数のトランスポートチャネルから受信したシンボルをバッファ７００に記憶することを示す図である。図６に示すバッファ６００と同様にトランスポートチャネルには、ＴＴＩに基づいて、ＴＴＩの降順にバッファ７００の（連続する）セクションが割当てられる。しかしながら、（図７に示すΔＴのタイムオフセットを持つ代わりに）ＣＣＴｒＣＨは時間的にあわせなくても良いので、これらのＣＣＴｒＣＨに対するトランスポートチャネルはバッファ７００の対向端から開始するバッファ７００の各セクションに割当てることができる。各セクションは、受信し、セクションに記憶することになっているトラヒックのサイズに基づいて適当なサイズを有する。
【００７２】
明確にするために、バッファ７００の動作は、２つのＣＣＴｒＣＨが受信される図７に示す特定例に対して示される。最初のＣＣＴｒＣＨは４つのトランスポートチャネル１乃至４を含み、第２ＣＣＴｒＣＨは３つのトランスポートチャネル５乃至７を含む。バッファ７００は分割することができ、ＣＣＴｒＣＨに対する無線フレーム境界またはその付近において各ＣＣＴｒＣＨのトランスポートチャネルに割当てることができる。
【００７３】
時刻ｔａ前に、最初のＣＣＴｒＣＨに相関する４つのトランスポートチャネルのＴＴＩは８０ｍｓｅｃ、４０ｍｓｅｃ、２０ｍｓｅｃおよび１０ｍｓｅｃであると判断することができる。図６に関連して説明したように、バッファ７００の一端（例えば一番上）から定義されたセクション７２２、７２４、７２６、および７２８はこれらのトランスポートチャネルに対して割当てることができる。同様に時刻ｔｂの前に、第２ＣＣＴｒＣＨに相関する３つのトランスポートチャネルのＴＴＩは４０ｍｓｅｃ、２０ｍｓｅｃおよび１０ｍｓｅｃであると判断することができる。バッファの他端（例えば一番下）から定義されたセクション７３２、７３４、および７３６は同様にこれらのトランスポートチャネルに対して割当てることが出来る。
【００７４】
図７に示す例において、最初のＣＣＴｒＣＨにおける最も長いＴＴＩに相関するトラヒックＴ８０，１はバッファ７００の一番上においてセクション７２２に割当てられている。このＣＣＴｒＣＨに対する次に長いＴＴＩに相関するトラヒックＴ４０，１はセクション７２２の下に定義されるセクション７２４に割当てられる。このＣＣＴｒＣＨに対する次に長いＴＴＩに相関するトラヒックＴ２０，１はセクション７２４の下に定義されるセクション７２６に割当てられる。そして、このＣＣＴｒＣＨに対する最も短いＴＴＩに相関するトラヒックＴ１０，１はセクション７２６の下に定義されるセクション７２８に割当てられる。
【００７５】
対応する方法において、第２のＣＣＴｒＣＨに対して最も長いＴＴＩに相関するトラヒックＸ４０，１はバッファ７００の一番下にあるセクション７３２に割当てられる。このＣＣＴｒＣＨに対する次に長いＴＴＩに相関するトラヒックＸ２０，１はセクション７３２の上に定義されるセクション７３４に割当てられる。そして、このＣＣＴｒＣＨに対する最も短いＴＴＩに相関するトラヒックＸ１０，１はセクション７３４の上に定義されるセクション７３６に割当てられる。
【００７６】
バッファ７００の一番上から定義され、最初のＣＣＴｒＣＨのトランスポートチャネルに割当てられたセクション７２２、７２４、７２６および７２８に対して、書き込みポインタはセクションの一番上にイニシャライズすることができ、シンボルがセクションに書かれるときデクリメントされる。対応する方法において、バッファ７００の一番下から定義され、第２のＣＣＴｒＣＨにおけるトランスポートチャネルに割当てられたセクション７３２、７３４、および７３６に対し書き込みポインタはセクションの一番下にイニシャライズすることができ、シンボルがセクションに書かれるときインクリメントされる。再び、ブロック２６４において第１デインターリービングを達成するために置換された順番でセクションに書き込むことができ、セクションから読み出すことができる。
【００７７】
再び、バッファ７００の「一番上」および「一番下」は任意の開始点に基づいて選択可能である。選択された開始点から第１のＣＣＴｒＣＨに対するセクションはバッファの一方向（上方向または下方向）に沿って定義することができる。そして、第２ＣＣｔｒＣＨに対するセクションはバッファの反対方向（下方向または上方向）に沿って定義することができる。書き込みポインタおよび読み出しポインタは所望のバッファ構造を実現するために適当にイニシャライズされ維持される。
【００７８】
２以上のＣＣＴｒＣＨが受信され、最も短いＴＴＩより大きいタイムオフセットを有するなら、これらのＣＣＴｒＣＨに相関するトランスポートチャネルに対して受信したシンボルを記憶するために複数のバッファを設けることができる。各バッファは２つのＣＣＴｒＣＨをサポートするために使用することができる。あるいは、バッファは複数の区画に分割することができ、各区画は２つのＣＣＴｒＣＨをサポートするために使用される。
【００７９】
上述したバッファはまた、異なる処理遅延に相関するデータを記憶するために有利に使用することもできる。最も長い処理遅延に相関するデータはバッファの１つのセクションに記憶することができる。漸減的に短い処理遅延に相関する他のデータはバッファの他のセクションに記憶することができる。セクションは処理遅延に基づいて定義し割当てることができる。ここに記載したバッファは断片化を低減または消去することができ、（相対的に）管理するのが簡単である。
【００８０】
図８はこの発明の実施形態に従って、バッファを多数のセクションに分割し、セクションをトランスポートチャネルに割当てるためのプロセス８００のフロー図である。プロセス８００は最も短いＴＴＩより少ないタイムオフセットを有するトランスポートチャネル（例えば特定のＣＣＴｒＣＨに相関するトランスポートチャネル）に対して使用することができる。プロセス８００は各無線フレーム境界でまたは無線フレーム境界より前に実行することができる（すなわち、トランスポートチャネル上のトラヒック受信前に）
最初に、ステップ８１２において、特定の指定された時刻（例えば図６のｔ１より前に）受信すべきトランスポートチャネルが識別される。ステップ８１４において、これらのトランスポートチャネル上で受信される新しいトラヒックは識別されリストに入れられる。ステップ８１６においてリストが空かどうか判断される。リストが空なら、次回の期間に対して受信される新しいトラヒックが無いことを示し、バッファの再分割は必要なく、プロセスは終了する。
【００８１】
一方、リストが空でないならば、ステップ８２２において、受信される各新しいトラヒックのＴＴＩとサイズが決定される。次に、ステップ８２４において、ＴＴＩに従って新しいトラヒックが評価される。次に、ステップ８３２において、最も長いＴＴＩを有するリスト内のトラヒックが選択される。ステップ８３４において、バッファのセクションが定義され、選択されたトラヒックに割当てられる。このセクションは開始ロケーションまたは以前に割り当てられたセクションの終わりから定義することができる。上述したように、セクションはトラヒック全体および（恐らく）トランスポートチャネルに対して受信すべき次のトラヒックの一部を記憶する十分な容量を有するようなサイズを有する。次に、ステップ８３６において、割当てられたセクションに対する書き込みポインタおよび読み出しポインタは（例えば割当てられたセクションの一番上に）イニシャライズされる。次に、ステップ８３８において、トラヒックがリストから除去される。
【００８２】
ステップ８４２において、リストから空かどうかの判断が再びなされる。リストが空なら、すべての新しいトラヒックがバッファの各セクションに割当てられていたことを示しており、プロセスは終了する。そうでなければ、プロセスはステップ８３２に戻り、最も長いＴＴＩを有するリスト内の他のトラヒックが割当てのために選択される。
【００８３】
図８に示すプロセスは複数のＣＣＴｒＣＨに相関するトランスポートチャネルに対してバッファを分割し割当てるために使用することもできる。複数のＣＣＴｒＣＨに対して、ステップ８３４におけるセクションの割当ておよびステップ８３６のポインタのイニシャライゼーションを処理中の特定のＣＣＴｒＣＨに基づいて達成することができる。第１のＣＣＴｒＣＨにおけるトラヒックに割当てられたセクションはバッファの第１の方向に沿って定義することができ、第２のＣＣＴｒＣＨにおけるトラヒックに割当てられたセクションはバッファの第２の方向に沿って定義することができる。第１のＣＣＴｒＣＨにおけるトラヒックに割当てられたセクションに対するポインタはセクションの一番上にイニシャライズすることができ、第２のＣＣＴｒＣＨにおけるトラヒックに割当てられたセクションに対するポインタはセクションの一番下にイニシャライズすることができる。
【００８４】
図９は受信データプロセッサ１３６の実施形態の簡単化されたブロック図であり、Ｗ−ＣＤＭＡ規格に従ってダウンリンクデータ送信を処理するために適している。受信データプロセッサ１３６は図２Ｂにおいて上述した信号処理のいくつかを実行するために使用することができる。受信した信号は、受信器１３４内で条件づけされた２値化され２値化されたサンプルを供給する。次に、チャネルプロセッサ９１０がサンプルを受信し処理し、１つ以上の物理チャネルに対してシンボルを発生する。この処理は、２０００年９月６日に出願された米国特許出願シリアル番号（代理人事件整理番号：ＰＤ０００４４２）（発明の名称：「部分トランスポートフォーマット情報を有した物理チャネルを処理するための方法および装置」、米国特許番号第５，７６４，６８７号（発明の名称：「スペクトル拡散多重アクセス通信システムのための移動復調器アーキテクチャ」）および米国特許第５，４９０，１６５号（発明の名称：「複数の信号を受信することのできるシステムにおける復調素子の割当て」）に記載された逆拡散、デカバリングおよびパイロット復調を一般に含む。これらの特許および特許出願はこの発明の譲受人に譲渡され、参照することによりここに組み込まれる。
【００８５】
チャネルプロセッサ９１０からのシンボルは第１バッファ９１２に記憶される。これは図３および４に関連して上述した方法で実現可能である。バッファ９１２は（１）（第２の置換された順番でバッファにシンボルを書き込みまたはバッファからシンボルを読み出すことにより）図２Ｂのブロック２５２の第２のデインターリービングを達成するように、および（２）（例えば、バッファの連続するセクションに物理チャネルに対するシンボルを書き込むことにより）ブロック２５４の物理チャネル連結を達成するように動作可能である。次に、バッファ９１２からシンボルが検索され、データプロセッサ９１４に供給される。
【００８６】
データプロセッサ９１４はブロック２１８において実行されるレートマッチングに相補的な逆レートマッチングを実行する。次に、シンボルは第２バッファ９１６に供給され、図６乃至図８に関連して上述した方法で実現可能である。バッファ９１６は、（第１の置換された順番でバッファにシンボルを書き込むことにより、またはバッファからシンボルを読み出すことにより）図２Ｂのブロック２６４の第１デインターリービングを達成するように動作可能である。特定のトラヒックのためのすべてのトランスポートチャネル無線フレームが受信されると、コントローラ９３０に信号を送ることができ、コントローラ９３０はトラヒックの次の処理（例えばデコーディング）をスケジュールにいれる。
【００８７】
デコーダ９１８は送信器装置において使用される符号化方式に対して相補的な方法で復号を実行する。特にデコータ９１８は、畳み込み符号化データに対してビタビ復号を実行し、ターボ符号化データに対してターボ復号を実行し、非符号化データに対して復号を実行しない。デコータ９１８内のＣＲＣチェッカーは一般に付加されたＣＲＣビットに基づいてさらにエラー検出を実行する。次に、デコーダ９１８は復号されたデータをデータシンクに供給する。
【００８８】
実施形態において、バッファ９１２および９１６は上述した方法で実現される。特に、バッファ９１２は拡散因子および物理チャネル上で受信される無線フレームのサイズに基づいて、分割し物理チャネルに割当てることができる。バッファ９１６はＴＴＩおよびトランスポートチャネル上で受信されるトラヒックのサイズに基づいて、分割しトランスポートチャネルに割当てることができる。
【００８９】
バッファ９１２および９１６は各々種々のメモリ構造を用いて実現可能である。例えば、バッファ９１２および９１６の各々（または両方）は１つ以上のメモリ装置を用いて実現可能である（例えば、バッファ９１２および９１６は共通のメモリ装置を用いて実現可能である）。または、マルチポートメモリ装置を用いて、または多数のメモリバンクからなるメモリ装置または多数のメモリバンクに分割されるメモリ装置、または他の構造を用いて実現可能である。バッファ９１２および９１６は例えば、ランダムアクセスメモリ（ＲＡＭ）、ダイナミックＲＡＭ（ＤＲＡＭ）、フラッシュメモリおよびその他のような種々のメモリ技術で実現可能である。バッファ９１２および９１６の種々の構造および実現が可能であり、この発明の範囲内である。
【００９０】
図９Ｂに示すように、アドレス発生器９２０はバッファ９１２および９１６を動作し、これらのバッファのセクションに対する書き込みポインタおよび読み出しポインタを維持するために設けられる。アドレス発生器９２０は独立した装置として、またはコントローラ９３０またはバッファ内に集積して、または他の処理素子をも含むＡＳＩＣ内に実現可能である。
【００９１】
実施形態において、アドレス発生器９２０は、各バッファの定義されたセクションを記述する情報を記憶するために使用されるデータ構造を含む。データ構造の１つのエントリは、各定義されたセクションに対して発生可能である。各エントリは例えば、そのエントリに相関するセクションを定義する開始ロケーションおよび（恐らく）終了ロケーションを含むことができる。各エントリはさらにそのセクションが割当てられる特定の物理またはトランスポートチャネルを識別可能である。データ構造はさらに割当てられたセクションの動作を管理するために使用される情報を記憶することができる。各エントリは例えば、書き込みポインタおよび読み出しポインタの現在値およびポインタが更新される方向または方法を含むことができる。データ構造はバッファ９１６内のトラヒックを処理するために使用することのできる他の情報をさらに記憶することができる。例えば、各トラヒックに対して処理すべき次の符号ブロックの開始メモリアドレスを記憶することができる。
【００９２】
ここに記載される処理装置（物理チャネルプロセッサ、データプロセッサ、デコーダ、コントローラ、およびその他）は種々の方法で実現することができる。例えば、これらの処理装置の各々は特定用途向け集積回路（ＡＳＩＣ）、デジタルシグナルプロセッサ、マイクロコントローラ、またはここに記載した機能を実行するように設計された他の電子回路で実現可能である。処理装置は１つ以上の集積回路に集積可能である。また、処理装置は、ここに記載された機能を達成する命令コードを実行するように動作する汎用または特別に設計されたプロセッサで実現できる。従って、ここに記載した処理装置は、ハードウエア、ソフトウエア、またはそれらの組合せを用いて実現可能である。
【００９３】
好適実施形態の上述した記載は、当業者がこの発明を作成しまたは使用可能にするために提供される。これらの実施形態に対する種々の変形例は当業者に容易に明白であろう。ここに定義される一般的原理は発明力の使用なしに他の実施形態に適用可能である。従って、この発明はここに示した実施形態に限定されることを意図したものではなく、ここに開示される原理および新規な特徴に一致する最も広い範囲に一致する。
【図面の簡単な説明】
【図１】
図１はこの発明を実現することのできる通信システムの簡単化されたブロック図である。
【図２Ａ】
図２ＡはＷ−ＣＤＭＡ規格に従うダウンリンク送信のためのそれぞれ送信器装置および受信器装置における信号処理の図である。
【図２Ｂ】
図２ＢはＷ−ＣＤＭＡ規格に従うダウンリンク送信のためのそれぞれ送信器装置および受信器装置における信号処理の図である。
【図３】
図３はこの発明の一実施形態に従って複数の物理チャネルから受信したシンボルをバッファに記憶することを説明する図である。
【図４】
図４はこの発明の一実施形態に従って、バッファを多数のセクションに分割し、セクションを複数の物理チャネルに割当てるプロセスのフロー図である。
【図５】
図５は、複数のトランスポートチャネルを介した例示データ送信の図である。
【図６】
図６はこの発明の２つの実施形態に従って複数のトランスポートチャネルから受信したシンボルをバッファに記憶することを示す図である。
【図７】
図７はこの発明の２つの実施形態に従って複数のトランスポートチャネルから受信したシンボルをバッファに記憶することを示す図である。
【図８】
図８はこの発明の実施形態に従って、バッファを多数のセクションに分割し、そのセクションを複数のトランスポートチャネルに割当てるためのプロセスのフロー図である。
【図９】
図９はダウンリンクデータ送信を処理するのに適した受信データプロセッサの実施形態の簡単化されたブロック図である。
【図１】
2004515094.tif 000004
【図２Ａ】
2004515094.tif 000005
【図２Ｂ】
2004515094.tif 000006
【図３】
2004515094.tif 000007
【図４】
2004515094.tif 000008
【図５】
2004515094.tif 000009
【図６】
2004515094.tif 000010
【図７】
2004515094.tif 000011
【図８】
2004515094.tif 000012
【図９】
2004515094.tif 000013
【国際公開パンフレット】
2004515094.tif 000014
2004515094.tif 000015
2004515094.tif 000016
2004515094.tif 000017
2004515094.tif 000018
2004515094.tif 000019
2004515094.tif 000020
2004515094.tif 000021
2004515094.tif 000022
2004515094.tif 000023
2004515094.tif 000024
2004515094.tif 000025
2004515094.tif 000026
2004515094.tif 000027
2004515094.tif 000028
2004515094.tif 000029
2004515094.tif 000030
2004515094.tif 000031
2004515094.tif 000032
2004515094.tif 000033
2004515094.tif 000034
2004515094.tif 000035
2004515094.tif 000036
2004515094.tif 000037
2004515094.tif 000038
2004515094.tif 000039
2004515094.tif 000040
2004515094.tif 000041
2004515094.tif 000042
2004515094.tif 000043
2004515094.tif 000044
2004515094.tif 000045
2004515094.tif 000046
2004515094.tif 000047
2004515094.tif 000048
2004515094.tif 000049
2004515094.tif 000050
2004515094.tif 000051
2004515094.tif 000052
2004515094.tif 000053
【国際公開パンフレット（コレクトバージョン）】
2004515094.tif 000054
【国際調査報告】
2004515094.tif 000055
2004515094.tif 000056